(57)【要約】      （修正有）【課題】ＰｏＣを利用したネットワークと利用しないネットワークとの間で移動端末が移動した直後であっても、移動端末への呼び出しを成功させ、通話可能とする通話システムを提供する。【解決手段】プレストーク制御サーバ（ｐｒＣＳＣＦ）１４と回線接続装置（ＬＣＵ）１６とを接続し、ｐｒＣＳＣＦ１４とはＩＰプロトコルで通信を行い、ＬＣＵ１６とは既存システムにおけるプロトコルで通信を行うと共に、自営ＩＰネットワークシステムのＡ網と既存システムのＢ網との間の通信に伴うプロトコル変換を行うＬＣＵプロキシーサーバ１５を設け、ｐｒＣＳＣＦ１４が、移動端末（ＰＮＣ）からの発呼処理に対してＡ網とＢ網の双方に対して呼び出し処理を行う通話システムである。【選択図】図１
2010109829.tif 000002
【特許請求の範囲】
【請求項１】
ＩＰ網を介して通信を行う自営ＩＰネットワークシステムにおいて位置情報を管理して発呼及び着呼の制御を行うプレストーク制御サーバと、ＩＰ網とは異なるデジタル回線を介して通信を行う既存システムにおいて位置情報を管理し回線接続制御を行う回線制御装置とを備えた通話システムであって、
前記プレストーク制御サーバと前記回線接続装置とを接続し、前記プレストーク制御サーバとはＩＰプロトコルで通信を行い、前記回線接続装置とは前記既存システムにおけるプロトコルで通信を行うと共に、前記自営ＩＰネットワークシステムと前記既存システムとの間の通信に伴うプロトコル変換を行うＬＣＵプロキシーサーバを設け、
前記プレストーク制御サーバは、移動端末からの発呼処理に対して前記自営ＩＰネットワークシステムのＩＰ網と前記既存システムのネットワークの双方に対して呼び出し処理を行うことを特徴とする通話システム。
【請求項２】
ＩＰ網を介して通信を行う自営ＩＰネットワークシステムにおいて位置情報を管理して発呼及び着呼の制御を行うプレストーク制御サーバと、ＩＰ網とは異なるデジタル回線を介して通信を行う既存システムにおいて位置情報を管理し回線接続制御を行う回線制御装置とを備えた通話システムであって、
前記プレストーク制御サーバと前記回線接続装置とを接続し、前記プレストーク制御サーバとはＩＰプロトコルで通信を行い、前記回線接続装置とは前記既存システムにおけるプロトコルで通信を行うと共に、前記自営ＩＰネットワークシステムと前記既存システムとの間の通信に伴うプロトコル変換を行うＬＣＵプロキシーサーバを設け、
前記プレストーク制御サーバは、移動端末からの発呼処理に対して前記自営ＩＰネットワークシステムのＩＰ網と前記既存システムのネットワークに対して、呼出端末が位置登録されたネットワークに優先的に呼び出し処理を行い、当該呼び出し処理が失敗した場合に他のネットワークに呼び出し処理を行うことを特徴とする通話システム。
【発明の詳細な説明】
【技術分野】
【０００１】
本発明は、異なる通信方式のネットワーク間を接続する通話システムに係り、特に、特定の通信方式のネットワークから他の通信方式のネットワークに移動した直後の移動端末に対して通話可能とする通話システムに関する。
【背景技術】
【０００２】
防災行政無線や消防無線に代表される自営無線システムにおいては、複数の移動端末間で情報をやりとりできる、半二重多対多の同報通信を行えることが不可欠である。
近年、ＩＰ（Internet Protocol）網を利用することを前提として自営無線システムを構築することが求められている。
【０００３】
従来、自営無線システムでは、システム毎に独立して運用されてきたが、災害時等に組織を越えて連絡できるよう、システム間での接続をＩＰによって容易に実現できることが要求されている。
【０００４】
従来、ＩＰ網上において、複数の移動端末間で半二重多対多の同報通信によるグループ通話を行う方式として、ＰｏＣ（Push-to-talk Over Cellular）を利用したものがある。
ＰｏＣでは、移動端末をトランシーバのように利用でき、ボタンを押下して話をすると、相手に音声が送信されるものであり、予めグループメンバを登録しておくと、電話会議のように同時に複数の端末に音声信号が送信され、複数の端末が音声信号を受信するようになっている。ボタンを押して音声信号を送信する方法をプレストークという。
【０００５】
ＰｏＣを用いてグループ通話を行うシステムでは、グループ通話の制御サーバが、端末からの要求に応じてグループ通話を開始し、通話中、端末から送信の要求があった場合に、許可可能か否かを判断して当該端末に送信権を許可したり、端末からの送信権の解放要求に対して送信権を解放するという送信権の制御を行う。
また、ＩＰ網ではなく、例えば、ＩＳＤＮ（Integrated Services Digital Network）網上においても、別の通信方式を用いてグループ通話を実現するものがあった。
【０００６】
［先行技術文献］
尚、ネットワークに関する先行技術としては、平成１７年１２月１５日公開の特開２００５−３４８２３０号公報「無線接続装置」（出願人：株式会社日立国際電気）がある。
この先行技術は、２つのＴＣＰ／ＩＰネットワークを半二重無線回線で接続するために、ＴＣＰ／ＩＰネットワークからの信号をレイヤ４以上で中継して半二重回線に送出する無線接続装置であり、これによりネットワーク間のメール送受信やＷｅｂアクセスの応答性を改善するものである。
【０００７】
【特許文献１】特開２００５−３４８２３０号公報
【発明の開示】
【発明が解決しようとする課題】
【０００８】
ところで、上記従来の通話システムにおいて、ＰｏＣを利用したネットワーク（「Ａ網」）とＰｏＣを利用しないネットワーク（「Ｂ網」）とを接続し、移動端末を双方のネットワークで利用できるようにする統合的な通話システムの開発が進められている。
【０００９】
しかしながら、上記統合的な通話システムにおいて、例えば、Ａ網にいた移動端末がＢ網に移動した直後は、当該移動端末の位置情報がＡ網から削除されずに、Ａ網に登録された状態が残っているため、Ａ網において移動端末に対する呼び出し動作が発生すると、Ａ網において呼び出し動作を行うものの、呼び出しが失敗し、Ａ網及びＢ網で呼び出すことができないという問題点があった。
尚、Ｂ網に属する移動端末がＡ網に移動した直後についても同様の問題があった。
【００１０】
本発明は上記実情に鑑みて為されたもので、ＰｏＣを利用したネットワークと利用しないネットワークとの間で移動端末が移動した直後であっても、移動端末への呼び出しを成功させ、通話可能とする通話システムを提供することを目的とする。
【課題を解決するための手段】
【００１１】
上記従来例の問題点を解決するための本発明は、ＩＰ網を介して通信を行う自営ＩＰネットワークシステムにおいて位置情報を管理して発呼及び着呼の制御を行うプレストーク制御サーバと、ＩＰ網とは異なるデジタル回線を介して通信を行う既存システムにおいて位置情報を管理し回線接続制御を行う回線制御装置とを備えた通話システムであって、プレストーク制御サーバと回線接続装置とを接続し、プレストーク制御サーバとはＩＰプロトコルで通信を行い、回線接続装置とは既存システムにおけるプロトコルで通信を行うと共に、自営ＩＰネットワークシステムと既存システムとの間の通信に伴うプロトコル変換を行うＬＣＵプロキシーサーバを設け、プレストーク制御サーバは、移動端末からの発呼処理に対して自営ＩＰネットワークシステムのＩＰ網と既存システムのネットワークの双方に対して呼び出し処理を行うことを特徴とする。
【００１２】
本発明は、ＩＰ網を介して通信を行う自営ＩＰネットワークシステムにおいて位置情報を管理して発呼及び着呼の制御を行うプレストーク制御サーバと、ＩＰ網とは異なるデジタル回線を介して通信を行う既存システムにおいて位置情報を管理し回線接続制御を行う回線制御装置とを備えた通話システムであって、プレストーク制御サーバと回線接続装置とを接続し、プレストーク制御サーバとはＩＰプロトコルで通信を行い、回線接続装置とは既存システムにおけるプロトコルで通信を行うと共に、自営ＩＰネットワークシステムと既存システムとの間の通信に伴うプロトコル変換を行うＬＣＵプロキシーサーバを設け、プレストーク制御サーバは、移動端末からの発呼処理に対して自営ＩＰネットワークシステムのＩＰ網と既存システムのネットワークに対して、呼出端末が位置登録されたネットワークに優先的に呼び出し処理を行い、当該呼び出し処理が失敗した場合に他のネットワークに呼び出し処理を行うことを特徴とする。
【発明の効果】
【００１３】
本発明によれば、プレストーク制御サーバと回線接続装置とを接続し、プレストーク制御サーバとはＩＰプロトコルで通信を行い、回線接続装置とは既存システムにおけるプロトコルで通信を行うと共に、自営ＩＰネットワークシステムと既存システムとの間の通信に伴うプロトコル変換を行うＬＣＵプロキシーサーバを設け、プレストーク制御サーバが、移動端末からの発呼処理に対して自営ＩＰネットワークシステムのＩＰ網と既存システムのネットワークの双方に対して呼び出し処理を行う通話システムとしているので、ネットワーク間を移動した直後の端末に対して呼び出しを成功させ、通話可能にできる効果がある。
【００１４】
本発明によれば、プレストーク制御サーバと回線接続装置とを接続し、プレストーク制御サーバとはＩＰプロトコルで通信を行い、回線接続装置とは既存システムにおけるプロトコルで通信を行うと共に、自営ＩＰネットワークシステムと既存システムとの間の通信に伴うプロトコル変換を行うＬＣＵプロキシーサーバを設け、プレストーク制御サーバは、移動端末からの発呼処理に対して自営ＩＰネットワークシステムのＩＰ網と既存システムのネットワークに対して、呼出端末が位置登録されたネットワークに優先的に呼び出し処理を行い、当該呼び出し処理が失敗した場合に他のネットワークに呼び出し処理を行う通話システムとしているので、無駄な呼び出し処理を減少させ、システムへの負荷を軽減できる効果がある
【発明を実施するための最良の形態】
【００１５】
本発明の実施の形態について図面を参照しながら説明する。
［実施の形態の概要］
本発明の実施の形態に係る通話システムは、プレストーク制御サーバが、発呼処理に対してＰｏＣを利用したネットワーク（「Ａ網」）及びＰｏＣを利用しないネットワーク（「Ｂ網」）の双方に呼び出し処理を行い、いずれかの網で呼び出しが成功した呼出端末からの応答処理により、通話可能とするものであり、網間を移動した直後の端末に対して呼び出しを成功させ、通話可能にできる。
【００１６】
また、本発明の実施の形態に係る通話システムは、ネットワーク環境として端末の移動頻度の高いシステムでは、Ａ網及びＢ網双方に呼び出し処理を行う第１の方式と、端末の移動頻度の低いシステムでは、位置登録されている網に優先して呼び出し処理を行い、呼び出しを失敗した場合に、位置登録されていない網に呼び出し処理を行う第２の方式とを備え、ネットワーク環境に応じて２つの方式をプレストーク制御サーバ１４に選択設定可能とするものであり、ネットワーク環境に応じた効率的システムを構築できる。
【００１７】
また、本発明の実施の形態に係る通話システムは、プレストーク制御サーバが、端末毎の移動特性を考慮して第１の方式又は第２の方式のいずれかを端末情報テーブルに予め設定し、呼出端末への呼び出し処理が為される際に、端末情報テーブルを参照して呼出端末が採用する方式によって呼び出し処理を行うものであり、端末毎の移動特性に応じた効率的呼び出し処理を実現することができる。
【００１８】
［通話システム：図１］
本発明の実施の形態に係る通話システムについて図１を参照しながら説明する。図１は、本発明の実施の形態に係る通話システムの構成ブロック図である。
本発明の実施の形態に係る通話システム（本システム）は、図１に示すように、ＰｏＣを利用したネットワーク（「Ａ網」）におけるグループ通話を制御するプレストーク制御サーバ（ｐｒＣＳＣＦ：private Call Session Control Function）１４と、ＰｏＣを利用しないネットワーク（「Ｂ網」、例えば、自営系無線システム等）におけるグループ通話を制御する回線制御装置（ＬＣＵ：Line Control Unit）１６とを備え、Ａ網とＢ網との間にＬＣＵプロキシーサーバ（LCU Proxy）１５を設けている。
【００１９】
そして、Ａ網における第１の通信系として、無線基地局（ＢＳ１：Base Station）１１ａと、アクセスネットワーク制御部（ＡＮＣＦ：Access Network Controlling Function）１２ａと、自営系クライアントプロキシー部（ＰＮＰ（Ａ）：Private Network client Proxy）１３ａがプレストーク制御サーバ１４に接続している。
【００２０】
また、Ａ網における第２の通信系として、無線基地局（ＢＳ２：Base Station）１１ｂと、アクセスネットワーク制御部（ＡＮＣＦ：Access Network Controlling Function）１２ｂと、自営系クライアントプロキシー部（ＰＮＰ（Ｂ）：Private Network client Proxy）１３ｂがプレストーク制御サーバ１４に接続している。
【００２１】
尚、図１では、移動端末（ＰＮＣ（Ａ）：Private Network Client）２１ａがＢＳ１１ａに無線接続し、移動端末（ＰＮＣ（Ｂ））２１ｂがＢＳ１１ｂに無線接続し、移動端末（ＰＮＣ（Ｃ））２１ｃがＢＳ１１ｃに無線接続する様子を示しているが、各端末は移動可能である。
【００２２】
ここで、Ａ網は次世代無線通信システム（ＩＰ網を介して通信する自営ＩＰネットワークシステム）を想定しており、Ｂ網はＩＰ網とは異なるデジタル回線を介して通信を行う従来型の自営系無線システムを想定している。Ｂ網としては、例えば、ＩＳＤＮがある。
そして、Ａ網及びＢ網の移動端末同士が、それぞれの網内でグループ通話を行う場合と同様に、通信方式の違いを越えてグループ通話を行うことができる。
【００２３】
［本システムの各部］
本システムの各部について具体的に説明する。
［ＢＳ１１］
ＢＳ１１は、ＰＮＣ２１とＰＮＰ１３とのアクセスリンクを確立するために、ＡＮＣＦ１２が制御する対象となるものであり、ＰＮＣ２１を複数収容する。
【００２４】
［ＡＮＣＦ１２］
ＡＮＣＦ１２は、ＢＳ１１からの要求、ＰＮＰ１３からの要求に応じて、ＢＳ１１が収容するＰＮＣ２１とＰＮＰ１３とのアクセスリンクの確立、解放を行う。
尚、ＡＮＣＦ１２は、従来タイプのＢＳに対してはＩＳＤＮプロトコルで制御する。
【００２５】
［ＰＮＰ１３］
ＰＮＰ１３は、ＰＮＣ２１とＢＳ１１に対するメディアフローの制御（帯域割り当て、フィルタリング、ＱｏＳ（Quality of Service）マーキング等）を行う。
また、ＰＮＰ１３は、プレストーク制御サーバ１４に対してＰＮＣ２１／ＢＳ１１の代わりにＳＩＰ（Session Initiation Protocol）  ＵＡ（User Agent）をエミュレートし、送信権制御信号を変換する。
送信権制御信号の変換は、例えば、ＩＳＤＮメッセージからＰｏＣで用いられるＴＢＣＰ（Talk Burst Control Protocol）へ、またその反対への変換となる。
【００２６】
［プレストーク制御サーバ１４］
プレストーク制御サーバ（ｐｒＣＳＣＦ）１４は、ＳＩＰセッションの基本制御を行うものであり、Ａ網内の制御と同様に、ＬＣＵプロキシーサーバ１５に対してＳＩＰセッション制御と、グループ通話における送信権制御を行い、Ａ網とＢ網との間のグループ通話を実現している。
【００２７】
また、プレストーク制御サーバ１４は、Ａ網内の移動端末の位置情報を登録して管理しており、位置登録していた移動端末がＡ網から移動してしまうと、管理している位置情報を削除する。位置情報としては、移動端末の識別子と収容されている基地局の識別子を対応付けて記憶している。
但し、他の端末から移動してしまった端末に呼び出し動作を行い、呼び出しに失敗すると位置情報を削除するものであるため、端末が移動した直後というのは、まだ位置情報が削除されずに残って登録された状態となっている。
【００２８】
そして、プレストーク制御サーバ１４は、特徴として、移動端末に呼び出し処理を行う際に、当該端末がＡ網からＢ網に移動している可能性を考慮して、Ａ網だけでなくＢ網に対しても呼び出し処理を行うものである。これにより、Ａ網から移動して呼び出しに失敗してもＢ網に移動していれば応答が得られることになる。
【００２９】
また、プレストーク制御サーバ１４は、本システムがＡ網とＢ網との間で端末の移動頻度が高い場合には、端末に対する呼び出し処理をＡ網とＢ網の双方に行う第１の方式と、本システムがＡ網とＢ網との間で端末の移動頻度が低い場合には、位置登録されている自網にまず呼び出し処理を行い、その呼び出しに失敗した場合に他網に呼び出し処理を行う第２の方式とを備え、端末の移動頻度を判定したネットワーク管理者の操作によって、いずれかの方式を選択可能とし、選択された方式が内部の記憶部に設定され、設定された方式に従って処理を行うようにしてもよい。
これにより、自網から他網に端末が移動した場合には着呼に時間が掛かるものの、無駄な呼び出し処理を少なくできる効果がある。
【００３０】
また、プレストーク制御サーバ１４は、端末の網間の移動特性に応じて上記第１の方式又は上記第２の方式の何れかを採用するかを端末情報テーブルに設定しておき、端末への呼び出しが発生すると、端末情報テーブルを参照して対応する方式に従って端末毎に個別に処理を行うようにしてもよい。端末情報テーブルには、端末の識別子とその移動特性に応じた処理方式（第１の方式又は第２の方式）が設定され、内部の記憶部に記憶される。
これにより、端末の網間の移動特性に応じて第１の方式又は第２の方式を選択して呼び出し処理を実現するものであり、端末毎の移動特性に応じた最適な呼び出し処理を実現できる効果がある。
【００３１】
［ＬＣＵプロキシーサーバ１５］
ＬＣＵプロキシーサーバ１５は、ＬＣＵ１６とはＢ網のプロトコルで通信を行い、Ａ網とＢ網との間のプロトコル変換を行って、プレストーク制御サーバ１４とはＡ網のプロトコルで通信を行う。
【００３２】
具体的には、ＬＣＵプロキシーサーバ１５は、ＬＣＵ１６から受信するシグナリングとデータ（ＶｏＩＰ［Voice over IP］、ＰＴ［Press Talk］）の振り分けを行い、送信権制御信号の変換を行う。
また、ＬＣＵプロキシーサーバ１５は、プレストーク制御サーバ１４に対して、ＳＩＰ  ＵＡをエミュレートし、ＬＣＵ１６に対してＢＳ１１をエミュレートする。
【００３３】
［ＬＣＵ１６］
ＬＣＵ１６は、Ｂ網のグループ通話の制御を行うものであり、特別な機能を付加することなく、Ａ網とのプレストークによるグループ通話を実現している。
【００３４】
尚、プレストーク制御サーバ１４、ＬＣＵプロキシーサーバ１５、ＬＣＵ１６は、コンピュータで構成され、ＣＰＵ（Central Processing Unit）等から成る制御部と、ワークメモリとなる主メモリと、ハードディスク等から成る記憶部と、データの入出力を制御するインタフェース部等を備えている。
【００３５】
そして、コンピュータにおける制御部が、記憶部に記憶されているプログラムを主メモリに展開して動作可能とすることで、プレストーク制御サーバ１４、ＬＣＵプロキシーサーバ１５、ＬＣＵ１６の各処理手段による機能が実現される。
【００３６】
［動作概要］
本システムにおける処理動作は、移動端末（発呼端末）から他の移動端末（呼出端末）が発呼されると、プレストーク制御サーバ１４は、管理するネットワーク（Ａ網）内に位置登録された呼出端末に呼び出し処理を行うと共に、ＬＣＵプロキシーサーバ１５を介して接続する他のネットワーク（Ｂ網）に対しても呼び出し処理を行い、呼出端末がＡ網に存在する場合は、Ａ網内で応答処理が為され、呼出端末がＢ網に移動した場合は、Ｂ網からの応答処理が為され、Ａ網における呼出端末の位置情報を削除するものである。
【００３７】
［処理動作］
次ぎに、本システムの動作について図２〜４を参照しながら説明する。図２は、本システムにおけるシーケンス１を示す図であり、図３は、本システムにおけるシーケンス２を示す図であり、図４は、本システムにおけるシーケンス３を示す図である。
図２〜４を用いてシーケンス１〜３を説明するが、シーケンス１〜３は一連の処理である。
【００３８】
尚、図２〜４では、紙面の制約上、ＢＳ１（無線基地局１１ａ）とＰＮＣ（Ａ）２１ａを一つのボックスに描画し、また、ＢＳ２（無線基地局１１ｂ）とＰＮＣ（Ｂ）２１ｂを、ＡＮＣＦ１２ａとＰＮＰ（Ａ）１３ａを、ＡＮＣＦ１２ｂとＰＮＰ（Ｂ）１３ｂを一つのボックスに描画している。
また、ＰＮＰとｐｒＣＳＣＦとの間、ｐｒＣＳＣＦとＬＣＵ Proxyの間は、ＳＩＰプロトコルで通信が為される。
【００３９】
［シーケンス１：図２］
図２に示すように、本システムにおいて、ＢＳ１にて無線リソースが判定された状態で、Ａ網のＰＮＣ（Ａ）２１ａで送話ボタン（オフフック＋ダイヤルボタン）が押下されると、ＰＮＣ（Ａ）２１ａはＢＳ１、ＡＮＣＦ１２ａを介してＰＮＰ（Ａ）１３ａに「複信呼設定」信号を送信する（複信呼設定（ａ））。
【００４０】
次ぎに、ＰＮＰ（Ａ）１３ａは、ｐｒＣＳＣＦ１４に「INVITE」信号を送信し（INVITE（ｂ））、ＢＳ１を介してＰＮＣ（Ａ）２１ａに「呼設定受付」信号を送信する（呼設定受付（ｂ））。そして、ＢＳ１は、ＰＮＰ（Ａ）１３ａに無線チャネルを通知する（無線チャネル通知from BS）。
そして、ｐｒＣＳＣＦ１４は、ＰＮＰ（Ａ）１３ａに「100 Trying」信号を送信する（100 Trying（ｃ））。
【００４１】
次ぎに、ｐｒＣＳＣＦ１４は、内部の記憶部に記憶する端末の位置情報を参照して、着端末（呼出端末）の位置情報がＡ網内に存在する場合、実際には、着端末がＡ網に属しているのか、または、移動してＢ網に属しているのか不明なため、Ａ網とＢ網の双方に対して呼び出し処理を行う。
具体的には、ｐｒＣＳＣＦ１４は、ＰＮＰ（Ｂ）１３ｂとＬＣＵ Proxy１５に「INVITE」信号を送信する（INVITE（ｄ））。
【００４２】
ＰＮＰ（Ｂ）１３ｂは、ＡＮＣＦ１２ｂを介してＢＳ２に「呼設定」信号を送信し（呼設定（ｅ））、ｐｒＣＳＣＦ１４には「100 Trying」信号を送信する（100 Trying（ｅ））。
【００４３】
ＬＣＵ Proxy１５は、ＬＣＵ１６に「複信呼設定」信号を送信し（複信呼設定（ｆ））、ｐｒＣＳＣＦ１４に「100 Trying」信号を送信する（100 Trying（ｆ））。
【００４４】
また、ＢＳ２は、ＡＮＣＦ１２ｂを介してＰＮＰ（Ｂ）１３ｂに「呼設定受付」信号を送信し（呼設定受付（ｇ））、更に、ＢＳ２は、ＰＮＰ（Ｂ）１３ｂに無線チャネルを通知し（無線チャネル通知from BS）、着端末への呼び出しを行う。
【００４５】
Ｂ網のＬＣＵ１６は、ＬＣＵ Proxy１５に「呼設定受付」信号を送信する（呼設定受付（ｈ））。そして、ＬＣＵ Proxy１５は、ＬＣＵ１６に無線チャネルを通知し（無線チャネル通知）、着端末への呼び出しを行う。
【００４６】
ＢＳ２は、呼び出しに失敗すると、ＡＮＣＦ１２ｂを介してＰＮＰ（Ｂ）１３ｂに「解放完了」信号を送信する（解放完了（ｉ））。
ＰＮＰ（Ｂ）１３ｂは、ｐｒＣＳＣＦ１４に「408 Request Timeout」信号を送信する（408 Request Timeout（ｊ））。
【００４７】
［シーケンス２：図３］
すると、図３に示すように、ｐｒＣＳＣＦ１４は、内部の記憶部に記憶する着端末（呼出端末）の位置情報をＡ網から削除する処理を行い、ＰＮＰ（Ｂ）１３ｂに「ＡＣＫ」信号を送信する（ＡＣＫ（ｋ））。
【００４８】
Ｂ網におけるＬＣＵ１６が、呼び出しに対して着端末（呼出端末）からの応答を受信した場合、ＬＣＵ Proxy１５に「呼出」信号を送信する（呼出（ｌ））。
ＬＣＵ Proxy１５は、ｐｒＣＳＣＦ１４に「180 Ringing」信号を送信する（180 Ringing（ｍ））。「180 Ringing」信号は、呼び出し中を示す信号であり、着端末（呼出端末）をＢ網にて呼び出し中となる。
【００４９】
ｐｒＣＳＣＦ１４は、「180 Ringing」信号をＰＮＰ（Ａ）１３ａに送信する（180 Ringing（ｎ））。
ＰＮＰ（Ａ）１３ａは、ＡＮＣＦ１２ａを介してＢＳ１に「呼出」信号を送信する（呼出（ｏ））。
【００５０】
ＬＣＵ１６は、着端末（呼出端末）からの受話を検出した場合、ＬＣＵ Proxy１５に「応答」信号を送信する（応答（ｐ））。
すると、ＬＣＵ Proxy１５は、ｐｒＣＳＣＦ１４に「200 ＯＫ」信号を送信する（200 ＯＫ（ｑ））。これは、着端末（呼出端末）の応答がＢ網からあったことを示す。
【００５１】
［シーケンス３：図４］
そして、図４に示すように、ｐｒＣＳＣＦ１４は、ＰＮＰ（Ａ）１３ａに「200 ＯＫ」信号を送信する（200 ＯＫ（ｒ））。
ＰＮＰ（Ａ）１３ａは、ＡＮＣＦ１２ａを介してＢＳ１に「応答」信号を送信する（応答（ｓ））。そして、ＢＳ１は、ＡＮＣＦ１２ａを介してＰＮＰ（Ａ）１３ａに「応答確認」信号を送信する（応答確認（ｓ））。
【００５２】
ＰＮＰ（Ａ）１３ａは、ＢＳ１からの「応答確認」信号を受信した後に、「ＡＣＫ」信号をｐｒＣＳＣＦ１４に送信する（ＡＣＫ（ｔ））。
そして、ｐｒＣＳＣＦ１４は、ＬＣＵ Proxy１５に「ＡＣＫ」信号を送信する（ＡＣＫ（ｕ））。更に、ＬＣＵ Proxy１５は、ＬＣＵ１６に「応答確認」信号を送信する（応答確認（ｖ））。
これにより、送話可能状態となる。
【００５３】
図２において、ＢＳ２における呼び出し失敗の判定時間を、図３のＬＣＵ Proxy１５からの「180 Ringing」信号（ｍ）がｐｒＣＳＣＦ１４に届くことが予定されている時間より後に設定することができる。
【００５４】
このように判定時間を長めに設定すれば、ＬＣＵ Proxy１５から「180 Ringing」信号（ｍ）がｐｒＣＳＣＦ１４に届いた段階で、ｐｒＣＳＣＦ１４は、着端末（呼出端末）の位置情報をＡ網から削除する処理を行うことができる。つまり、「解放完了」信号（ｉ）に基づくＰＮＰ（Ｂ）１３ｂからの「408 Request Timeout」信号（ｊ）が、ｐｒＣＳＣＦ１４に届かなくても着端末（呼出端末）の位置情報をＡ網から削除できることになる。
【００５５】
無論、ＬＣＵ Proxy１５からの「180 Ringing」信号（ｍ）をｐｒＣＳＣＦ１４が受信しなければ、ＰＮＰ（Ｂ）１３ｂからの「408 Request Timeout」信号（ｊ）により着端末（呼出端末）がＡ網にもＢ網にも属していないとして当該呼出端末の位置情報をＡ網から削除することになる。
【００５６】
［Ｂ網からＡ網への端末移動］
また、本システムにおいて、Ｂ網において位置登録した移動端末は、その識別情報と位置情報をＬＣＵプロキシーサーバ（ＬＣＵ Proxy）１５に通知し、ＬＣＵ Proxy１５が端末の識別情報と位置情報を記憶し、ＬＣＵ１６に端末の位置情報等を通知して、ＬＣＵ１６がＢ網内の端末の位置情報を管理し、回線接続制御を行うようにする。
【００５７】
更に、ＬＣＵ Proxy１５は、Ａ網のプレストーク制御サーバ１４にＢ網内の端末の識別情報及び位置情報を送信し、内部の記憶部に記憶する。プレストーク制御サーバ１４では、Ａ網内の基地局と同等に、Ｂ網内の端末がＬＣＵ Proxy１５に位置登録されているようにする。
【００５８】
ここで、Ａ網内の端末（発呼端末）からＢ網で位置登録されている端末（着呼端末）を発呼する処理が為されると、プレストーク制御サーバ１４は、ＬＣＵ Proxy１５に対してＢ網内の端末を呼び出す処理を行い、更に、着呼端末がＡ網内に移動している可能性があるので、Ａ網内に対しても呼び出し処理を行う（第１の方式）。
【００５９】
このような構成にすることで、Ｂ網からＡ網に移動した直後の着呼端末に対しても呼び出しを成功させ、通話可能とすることができる。
また、プレストーク制御サーバ１４は、ＬＣＵ Proxy１５に対してＢ網内の端末を呼び出す処理を行い、その呼び出しに失敗した場合に、Ａ網内に呼び出し処理を行うようにしてもよい（第２の方式）。
【００６０】
また、プレストーク制御サーバ１４は、端末情報テーブルでＢ網で位置登録された端末について移動特性を考慮して第１の方式又は第２の方式を予め設定し、その端末情報テーブルに従って、第１の方式又は第２の方式を選択的に行うようにしてもよい。
【００６１】
［実施の形態の効果］
本システムによれば、プレストーク制御サーバ１４は、発呼処理に対してＰｏＣを利用したネットワーク（「Ａ網」）及びＰｏＣを利用しないネットワーク（「Ｂ網」）に呼び出し処理を行い、いずれかの網で呼び出し成功した呼出端末からの応答処理により、通話可能としているので、網間を移動した直後の端末に対して呼び出しを成功させ、通話可能にできる効果がある。
【００６２】
また、本システムによれば、ネットワーク環境として端末の移動頻度の高いシステムでは、Ａ網及びＢ網双方に呼び出し処理を行う第１の方式と、端末の移動頻度の低いシステムでは、位置登録されている網に優先して呼び出し処理を行い、呼び出しを失敗した場合に、位置登録されていない網に呼び出し処理を行う第２の方式とを備え、２つの方式をプレストーク制御サーバ１４に選択設定可能としているので、ネットワーク環境に応じた効率的システムを構築でき、無駄な呼び出し処理を少なくし、システムに対する負荷を軽減できる効果がある。
【００６３】
また、本システムによれば、プレストーク制御サーバ１４は、端末毎の移動特性を考慮して第１の方式又は第２の方式のいずれかを端末情報テーブルに予め設定し、呼出端末への呼び出し処理が為される際に、端末情報テーブルを参照して呼出端末が採用する方式によって呼び出し処理を行うようにしているので、端末毎の移動特性に応じた効率的呼び出し処理を実現することができる効果がある。
【産業上の利用可能性】
【００６４】
本発明は、ＰｏＣを利用したネットワークと利用しないネットワークとの間で移動端末が移動した直後であっても、移動端末への呼び出しを成功させ、通話可能とする通話システムに好適である。
【図面の簡単な説明】
【００６５】
【図１】本発明の実施の形態に係る通話システムの構成ブロック図である。
【図２】本システムにおけるシーケンス１を示す図である。
【図３】本システムにおけるシーケンス２を示す図である。
【図４】本システムにおけるシーケンス３を示す図である。
【符号の説明】
【００６６】
１１…無線基地局（ＢＳ）、  １２…アクセスネットワーク制御部（ＡＮＣＦ）、  １３…自営系クライアントプロキシー部（ＰＮＰ）、  １４…プレストーク制御サーバ（ｐｒＣＳＣＦ）、  １５…ＬＣＵプロキシーサーバ（LCU Proxy）、  １６…回線制御装置（ＬＣＵ）、  ２１…移動端末（ＰＮＣ）
【図１】
2010109829.tif 000003
【図２】
2010109829.tif 000004
【図３】
2010109829.tif 000005
【図４】
2010109829.tif 000006